(57)【特許請求の範囲】
【請求項１】
ベース上に、自動車のフロントガラスやコンソールボックスやインストルメント部を含む自動車フロント部を模したフロント部と前部座席と後部座席とを設け、天井と左右両側と後側の三方はオープンとし、前記コンソールボックスに、ＤＶＤプレヤーやカーナビゲーション装置やカーオーディオ機器等の視聴装置本体とその付属モニタとセンタースピーカ、前記フロント部の左右両側に左右のフロントスピーカ、前記後部座席の後側に左右のリアスピーカ、その前側にサブウーファースピーカをそれぞれ設置したことを特徴とする自動車用視聴シュミレーション装置。
【請求項２】
前部座席のヘッドレストに、後部座席者用モニタを設置したことを特徴とする請求項１に記載の自動車用視聴シュミレーション装置。
【請求項３】
フロント部の上端中央に、後方へ突出する突出部を設け、この突出部に後部座席者用モニタを設置したことを特徴とする請求項１又は２に記載の自動車用視聴シュミレーション装置。
【請求項４】
ベース上の後端に広告板を架設したことを特徴とする請求項１、２又は３に記載の自動車用視聴シュミレーション装置。
【請求項５】
ベースにキャスタを装着したことを特徴とする請求項１、２、３又４に記載の自動車用視聴シュミレーション装置。
【発明の詳細な説明】
【０００１】
【発明の属する技術分野】
本発明は、カー用品販売店などにおいて、ＤＶＤプレヤーやカーナビゲーション装置やカーオーディオ機器等を展示して顧客が視聴できるようにする自動車用視聴シュミレーション装置に関する。
【０００２】
【従来の技術】
近年、自動車は、カーオーディオ機器以外に、ＤＶＤ（デジタルビデオディスク）やＨＤＤ（ハードディスク）によるカーナビゲーション装置を搭載したもの、それにチューナを付属してテレビジョン放送やＦＭラジオ放送を視聴できるようにしたもの、ＤＶＤプレーヤーを搭載したものなど、搭載する視聴装置の種類が多様になっているが、従来、カー用品販売店などでこれらの自動車用視聴装置を展示する場合、固定の展示台上に一つの商品ユニットごとに分けて置くとか、陳列台上に並べて置いていただけであった。また、仕様書きやカタログの設置位置も一様ではなかった。
【０００３】
【発明が解決しようとする課題】
そのため、視聴の臨場感が欠けるとか、展示状態でのセールスインパクトが弱いとか、顧客にとって、見分けがたいとか、他商品との比較がしづらいとか、試用が不便である等の問題があった。
【０００４】
そこで、本発明の目的は、実際に自動車に乗り座席に座って視聴するような臨場感があるとともに、展示状態でのセールスインパクトが強く、顧客にとって、見分け易く、他商品との比較が容易であり、しかも試用及び製品評価も便利で、かつ設置位置を任意に移動できる自動車用視聴シュミレーション装置を提供することにある。
【０００５】
【課題を解決するための手段】
本発明は、自動車の車内を模した自動車用視聴シュミレーション装置であって、ベース上に、自動車のフロントガラスやコンソールボックスやインストルメント部を含む自動車フロント部を模したフロント部と前部座席と後部座席とを設け、天井と左右両側と後側の三方はオープンとし、コンソールボックスに、ＤＶＤプレヤーやカーナビゲーション装置やカーオーディオ機器等の視聴装置本体とその付属モニタとセンタースピーカ、フロント部の左右両側に左右のフロントスピーカ、後部座席の後側に左右のリアスピーカ、その前側にサブウーファースピーカをそれぞれ設置したことを特徴とする。
【０００６】
この視聴シュミレーション装置には、次のような構成を付加することができる。
前部座席のヘッドレストに、後部座席者用モニタを設置する。
フロント部の上端中央に、後方へ突出する突出部を設け、この突出部に後部座席者用モニタを設置する。
ベース上の後端に広告板を架設する。
ベースにキャスタを装着する。
【０００７】
【発明の実施の形態】
次に、本発明の実施の形態を図面に基づいて詳細に説明する。
【０００８】
図１は斜め後方から見た本実施例の斜視図、図２は斜め前方から見た斜視図、図３は簡略背面図、図４は側面図、図５は平面図、図６は一部分を欠如した平面図である。この自動車用視聴シュミレーション装置は、ベース１上に、自動車のフロント部を模したフロント部２と、左右の前部座席（一方が運転席）４・５と左右の後部座席６・７とを設けて、自動車の車内を模した形態となっているが、天井と左右両側と後側はオープンになっている。
【０００９】
フロント部２は、ベース１の前端に側面Ｃ字形の左右のフレーム８・９を設立し、これらフレーム８・９間の下部に、不透明又は半透明アクリル板である前隠し板１０を張設するとともに、後方へ傾斜した上部に、透明アクリル板１１を張設して自動車のフロントガラスに似せた形態とし、またこれより下側を自動車のコンソール部に似せた形態とするため、ベース１上に搭載されたコンソールボックス１２の左右両側に、左右のインストルメント部１３・１４を水平に設け、そのうちの一方にハンドル１５を取り付けたもので、これらの部分は、左右のフレーム８・９と前隠し板１０とで三方を囲まれている。
【００１０】
コンソールボックス１２のキャビネットのような収納部内には、ＤＶＤプレヤー１６がその付属モニタ（液晶モニタ）１７と共に設置され、またコンソールボックス１２上にはセンタースピーカ１８が設置され、コンソールボックス１２の前面には、スピーカのチャネル切替スイッチ１８ａが設けられているとともに、５．１チャネルシステムの解説図が貼付されている。また、左右のフレーム８・９の内側に、左右のフロントスピーカ２０・２１が露出状態で設置されている。なお、コンソールボックス１２にはＤＶＤプレヤー１６のリモコンも設置され、またインストルメント部１３・１４の表面には、ＤＶＤプレヤー１６の仕様書きや価格書きが貼付されている。コンソールボックス１２の収納部には、カーオーディオ機器やカーナビゲーション装置等も収納可能である。
【００１１】
左右のフレーム８・９の上端間にはトップパネル２２が架設され、このトップパネル２２の後方へ突出する中央の突出部２２ａの先端には、付属モニタ１７と同調する後部座席者用モニタ（液晶モニタ）２３が垂設されている。更に、左右の前部座席４・５のヘッドレスト４ａ・５ａの背面にも、後部座席者用モニタ（液晶モニタ）２４・２５が設置されている。
【００１２】
ベース１上の後部中央には、左右の後部座席６・７間からベース１の後端にわたる台座２６が搭載され、この台座２６の後端部には、後方へ傾斜して立ち上がるスタンド２７が突設されている。そして、台座２６上に、サブウーファースピーカ２８が露出状態で設置されているとともに、スタンド２７の上端に広告板２９が斜めに架設され、またこの広告板２９の左右両側に、ブラケットによって左右のリアスピーカ３０・３１が露出状態で架設されている。左右のリアスピーカ３０・３１は向きが可変となっている。広告板２９の表面には、本視聴シュミレーション装置のイメージ図を表示したり、コンソールボックス１２に設置されたＤＶＤプレヤーやカーオーディオ機器やカーナビゲーション装置の広告等を表示するようになっている。
【００１３】
ベース１は、台枠上に床板を敷設し、その上面にカーペットを張設したもので、ベース１の下面４箇所にはキャスタ３２が装着されている。
【００１４】
なお、コンソールボックス１２又はインストルメント部１３・１４内には、ＤＶＤプレヤー１８、モニタ１７・２３・２４・２５、スピーカ１８・２０・２１・２８・３０・３１へ電源供給するための電源ユニットが内蔵されている。
【００１５】
この自動車用視聴シュミレーション装置は上記のように構成されているので、顧客が実際に自動車に乗り座席に座った感じで、ＤＶＤプレヤー１６の映像をその付属モニタ１７及び後部座席者用モニタ２３・２４・２５で観ながら、スピーカ１８・２０・２１・２８・３０・３１により５．１チャンネルの立体音響を聴くことができるとともに、実際に自動車に乗った感じで試用及び製品評価できる。また、ＤＶＤプレヤーやカーナビゲーション装置やカーオーディオ機器等を、その付属品の他に仕様書き及びカタログも含めてひとまとめにして展示でき、しかも天井と左右両側と後側はオープンになっているので、展示性に富むとともに、乗降が容易である。展示位置は任意に移動できる。スピーカ１８・２０・２１・２８・３０・３１は露出状態であるため、製品の確認が容易である。
【００１６】
【発明の効果】
以上説明したように本発明によれば次のような効果がある。
▲１▼  ＤＶＤプレヤーやカーナビゲーション装置やカーオーディオ機器等を、実際に自動車に乗り座席に座って視聴するような臨場感があり、特に５．１チャンネルの立体音響を車内と同様の感じで楽しむことができる。
▲２▼  ＤＶＤプレヤーやカーナビゲーション装置やカーオーディオ機器等を、その付属品の他に仕様書き及びカタログも含めてひとまとめにして展示できる。
▲３▼  展示状態でのセールスインパクトが強い上に、顧客にとって、見分け易く、他商品との比較が容易であり、しかも試用及び製品評価も便利である。
▲４▼  天井と左右両側と後側はオープンになっているので、展示性に富むとともに、乗降が容易である。
【００１７】
請求項２に係る発明によれば、前部座席のヘッドレストに、後部座席者用モニタを設置し、また請求項３に係る発明によれば、フロント部の上端中央に、後方へ突出する突出部を設け、この突出部に後部座席者用モニタを設置したので、後部座席でも同様に視聴できる。
【００１８】
請求項４に係る発明によれば、ベース上の後端に広告板を架設したので、本視聴シュミレーション装置のイメージ図を表示したり、コンソールボックスに設置されたＤＶＤプレヤーやカーオーディオ機器やカーナビゲーション装置の広告等を表示できる。
【００１９】
請求項５に係る発明によれば、ベースにキャスタを装着したので、展示位置を任意に移動できる。
【図面の簡単な説明】
【図１】斜め後方から見た本実施例の斜視図である。
【図２】斜め前方から見た本実施例の斜視図である。
【図３】その簡略背面図である。
【図４】その側面図である。
【図５】その平面図である。
【図６】一部分を欠如した平面図である。
【符号の説明】
１  ベース
２  フロント部
４・５  左右の前部座席
４ａ・５ａ  ヘッドレスト
６・７  左右の後部座席
８・９  左右のフレーム
１０  前隠し板
１１  透明アクリル板
１２  コンソールボックス
１３・１４  左右のインストルメント部
１５  ハンドル
１６  ＤＶＤプレヤー
１７  付属モニタ
１８  センタースピーカ
１８ａ  チャネル切替スイッチ
１９  ５．１チャネルシステムの解説図
２０・２１  左右のフロントスピーカ
２２  トップパネル
２２ａ  突出部
２３・２４・２５  後部座席者用モニタ
２６  台座
２７  スタンド
２８  サブウーファースピーカ
２９  広告板
３０・３１  左右のリアスピーカ
３２  キャスタ
【図１】
0003624378.tif 000002
【図２】
0003624378.tif 000003
【図３】
0003624378.tif 000004
【図４】
0003624378.tif 000005
【図５】
0003624378.tif 000006
【図６】
0003624378.tif 000007